(57)【要約】【課題】  ヒータその他の鏡面加温手段を有することを特徴とする結露防止機能付きの道路反射鏡において、鏡面加温手段に対する通電時間を必要最小限に抑制し、太陽光発電パネルおよびバッテリの小容量化、低コスト化、メンテナンスフリー化を図る。【解決手段】  道路反射鏡に露点計または外気温センサＳ１と、鏡面温度センサＳ３とを取り付ける。検出された露点と鏡面温度とを比較し、または、検出された外気温と鏡面温度とを比較し、鏡面温度が露点または外気温から予測される露点を下回らない最小限の範囲で鏡面加温手段Ｅに通電する。【選択図】  図１
2011127354.tif 000002
【特許請求の範囲】
【請求項１】
太陽光発電パネルと蓄電素子と鏡面を加温する鏡面加温手段とを備え、太陽光発電パネルによって昼間に発電した電気を蓄電素子に蓄電するとともに、蓄電素子に蓄電した電気を夜間に鏡面加温手段に通電して鏡面結露を防止するようにしてなる道路反射鏡の結露防止方法において、
道路反射鏡に露点計と鏡面温度を検出する鏡面温度センサとを取り付けて露点と鏡面温度とを検出し、検出された鏡面温度が検出された露点を下回らない範囲で前記鏡面加温手段に通電することによって、鏡面温度を露点の変化に沿って追随制御することを特徴とする道路反射鏡の結露防止方法。
【請求項２】
太陽光発電パネルと蓄電素子と鏡面を加温する鏡面加温手段とを備え、太陽光発電パネルによって昼間に発電した電気を蓄電素子に蓄電するとともに、蓄電素子に蓄電した電気を夜間に鏡面加温手段に通電して鏡面結露を防止するようにしてなる道路反射鏡の結露防止方法において、
道路反射鏡に外気温センサと鏡面温度を検出する鏡面温度センサとを取り付けて外気温と鏡面温度とを検出し、検出された鏡面温度が検出された外気温を上回らず、かつ鏡面に結露を生じさせないための所定の安全温度幅を超えて下回らない範囲で前記鏡面加温手段に通電することによって、鏡面温度を外気温の変化に沿って追随制御することを特徴とする道路反射鏡の結露防止方法。
【請求項３】
前記所定の安全温度幅が、鏡面に結露が発生した気象条件下における外気温と露点の観測データに基づいて結露を生じさせないと見込まれる一定の温度幅、または結露を生じさせないと見込まれる一定の温度比率として設定することを特徴とする請求項２に記載の道路反射鏡の結露防止方法。
【請求項４】
太陽光発電パネルと、該太陽光発電パネルによって充電する蓄電素子と、該蓄電素子によって駆動する鏡面加温手段と、露点計と、鏡面温度を検出する鏡面温度センサと、充放電コントローラと備え、
前記鏡面加温手段が、いずれも鏡面と鏡面裏蓋との間に形成した気密空間の内部に設置される前記蓄電素子と前記充放電コントローラと前記気密空間内の空気を撹拌する電動ファンとによって構成され、
前記充放電コントローラは、前記鏡面温度センサによって検出された鏡面温度が前記露点計によって検出された露点を下回らない範囲で前記鏡面加温手段に通電すること特徴とする道路反射鏡。
【請求項５】
太陽光発電パネルと、該太陽光発電パネルによって充電する蓄電素子と、該蓄電素子によって駆動する鏡面加温手段と、外気温センサと、鏡面温度を検出する鏡面温度センサと、充放電コントローラとを備え、
前記鏡面加温手段が、いずれも鏡面と鏡面裏蓋との間に形成した気密空間の内部に設置される前記蓄電素子と前記充放電コントローラと前記気密空間内の空気を撹拌する電動ファンとによって構成され、
前記充放電コントローラは、前記鏡面温度センサによって検出された鏡面温度が前記外気温センサによって検出された外気温を上回らず、かつ鏡面に結露を生じさせないための所定の安全温度幅を超えて下回らない範囲で前記鏡面加温手段に通電することを特徴とする道路反射鏡。
【請求項６】
前記鏡面加温手段の構成部材として、ヒータまたは蓄熱素子と組み合わせてなるヒータを備えることを特徴とする請求項４または請求項５に記載の道路反射鏡。
【請求項７】
前記蓄電素子が、電気二重層コンデンサであることを特徴とする請求項４ないし請求項６のいずれか１項に記載の道路反射鏡。
【発明の詳細な説明】
【技術分野】
【０００１】
本発明は、昼間における太陽光発電パネルによる発電電力をバッテリその他の蓄電素子に蓄え、蓄えた電力によって夜間にヒータその他の鏡面加温手段を駆動することによって結露を防止するようにしてなる道路反射鏡の結露防止方法および道路反射鏡の改良に関する。
【背景技術】
【０００２】
道路の急カーブ箇所やＴ字交差箇所には、鏡面による反射影像によって安全確認をすることができるように道路反射鏡が設置されている。この道路反射鏡に関しては、気象条件によって結露や、結露が氷結して形成される着霜によって反射影像が不鮮明または結像不能となり、安全確認機能が一時的に損なわれる現象が発生することが旧来より問題視され、多様な結露防止策が提案されている（下記先行技術文献欄の特許文献１ないし６参照）。
【０００３】
結露の発生には、結露発生対象物の物理的または化学的表面性状や熱伝導率の大小、風の有無、周辺建築物の状況等の周辺環境等も関連する複雑な問題があるが、基本的には、鏡面が周辺の自然空気の露点以下に低下することによって発生する。具体的には、道路反射鏡の鏡面に接触した空気が急速に露点以下に冷やされ、飽和状態となった水蒸気が微細な水滴となって鏡面に露出することによって結露が発生するのである。
【０００４】
道路反射鏡における結露発生が、上記のような発生メカニズムに基づくものであることから、結露の防止対策としては、結露が発生しやすい時間帯における鏡面の温度を露点以上の温度に維持するという基本的な結露防止対策を考えることができる。
【０００５】
鏡面温度を露点以上に維持するという上記の考え方を実現するための最も端的かつ一般的な結露防止方法としては、鏡面の裏面側にヒータを添設し、このヒータを昼間に太陽光発電パネルによって充電しておいたバッテリによって駆動する方法が知られている（特許文献２参照）。
【０００６】
当社においても、従来、鏡面温度を露点以上に維持するという考え方に基づいて試作研究を進めているところであるが、当社の結露防止方法の幾つかは、いずれも当社独自の発想に基づくものである。例えば、結露が発生するような気象条件下においては、温度の異なる空気が層状に滞在することに着目し、相対的に高温となる鏡面より上空位置の空気を電動ファンを用いて鏡面の裏面側に供給することによって鏡面温度を露点以上に維持することができる（特許文献５参照）。
【０００７】
また、道路反射鏡の鏡面と裏蓋との間に気密性の高い略閉じられた空間が形成されているという一般的な条件を前提として、結露が発生するような気象条件下においては、その気密空間内の温度低下が、明け方に向かっての外気温の刻時的低下に遅れて生じることに着目し、電動ファンを用いて気密空間内の空気を撹拌し、鏡面温度を気密空間内の温度と同等に、つまり外気温より高く保つという方法によって鏡面温度を露点以上に維持することができる（特許文献６参照）。
【０００８】
参考に供した上記従来の道路反射鏡の結露防止方法においては、当社の従来技術を含めていずれも、太陽光発電パネルによって昼間に発電した電気をバッテリ等の蓄電素子に蓄電し、蓄電した電気を利用して夜間にヒータ等の鏡面加温手段を駆動するという基本的な充放電サイクルが採用されている。
【０００９】
上記のような結露防止方法およびその方法の使用する結露防止装置については、この結露防止装置および結露防止機能が、道路反射鏡の付帯機能または付帯装置であることによって、次のような問題が指摘されている。
【００１０】
結露防止機能付き道路反射鏡について指摘される問題としては、結露防止機能を備えない道路反射鏡に対して大幅なコスト高となることが挙げられる。
【００１１】
コスト高の問題は、特定の素子に起因するものではなく、結露を防止するための機能上必要とされる、太陽光発電パネル、蓄電素子、鏡面加温手段、充放電制御回路等のコストが累積的に原因することによって惹起される問題である。したがって、この問題は、特定の素子に対する手当てによって解決することができる問題ではなく、その解決のためには、結露防止機能を奏するための上記のすべての構成部材について、コストを抑えるための小型化ないし小容量化を達成する必要がある。
【００１２】
結露防止機能付きの道路反射鏡について指摘される別の問題としては、主に道路周辺景観の観点からの問題がある。
【００１３】
道路管理主体または都市計画主体の思わくにかかわらず、今日における道路周辺景観は煩雑化の一途を辿り、ドライバーに不要の運転疲労を強いる状況となっている。道路周辺景観の簡素化の要請は、道路反射鏡についても例外ではない。道路反射鏡の理想的な設置形態は、鏡面のみで存在することである。これは、できるだけドライバーの視野を遮らないでドライバーに必要な反射影像を提供するという道路反射鏡本来の要請による。しかし、鏡面のみを設置することができないことから、実際には必要最小限の支持ポール１本を用いたシンプルな外観の設置形態が採られている。この点に関し、従来の結露防止機能付き道路反射鏡における太陽光発電パネルが道路周辺景観を煩雑化させるという問題がある。
【００１４】
この問題を解決するには、太陽光発電パネルのサイズを目立たないサイズに抑えることが必要である。そして、太陽光発電パネルのサイズを抑えたいという要請は、最終的には、鏡面加温手段に対する消費電力の削減、および通電時間の最小限管理に対する要請となる。
【００１５】
従来の結露防止機能付きの道路反射鏡における通電時間の管理方法としては、日照センサによる昼夜判別による夜間連続通電方法、温度センサによる特定の設定温度の検出による設定温度以下連続通電方法、湿度センサによる特定の設定湿度の検出による設定湿度以上連続通電方法が代表的である。
【００１６】
しかし、上記のような従来の通電管理方法においては、鏡面結露の発生とは直接的な因果関係に立たない昼夜の別、特定の温度、特定の湿度を通電条件としていることにより、換言すれば、結露が発生するおそれがないか、または、おそれがない状態に至っているにもかかわらず、鏡面加温手段によって無駄な電力が大量に消費されることとなり、この無駄な電力に基づいて蓄電素子の容量や太陽光発電パネルのサイズが決定されるという矛盾があった。
【００１７】
なお、この問題に対しては、道路反射鏡の鏡面とは別に、その鏡面より早期に結露が発生しやすい環境においた結露検出用の鏡面を設置し、検出用の鏡面の結露を検出して道路反射鏡の結露を予測し、道路反射鏡のヒータに通電するとともに、検出用の鏡面の結露を道路反射鏡のヒータと同じ能力を有するヒータによって除去し、その除去完了をもって道路反射鏡の結露が除去されたことを検出し、通電を停止することによって消費電力の無駄を抑える方法が、従前より本願の発明者らによって提案されていた（特許文献７参照）。しかし、この方法では、鏡面加温手段の消費電力を大幅に削減することには成功したが、結露予測システム等の構成の複雑さ等の問題があり、利害得失合い半ばという面があった。
【００１８】
さらに、結露防止機能付きの道路反射鏡については、耐用期間の観点からの問題が指摘されている。道路反射鏡自体の耐用期間としては、略１０年のノーメンテナンス耐用期間が望まれるところであるが、この耐用期間が、道路反射鏡に結露防止機能を付加することによって大幅に短縮するという問題があるのである。この問題は、結露防止機能付き道路反射鏡のコスト高の問題と並んで、結露防止機能付きの道路反射鏡の普及を促進する上において、業界としては何としても解決したい深刻な問題である。
【００１９】
上記耐用期間短縮の問題およびは、専ら蓄電素子の耐用期間に帰着する問題である。現在使用されている蓄電素子の主流は、鉛シール電池に代表される化学電池である。この鉛系の化学電池の耐用期間は、使用状況によっても異なるが、鏡面加温手段のヒータのような重い負荷を長時間連続駆動するような用途においては、３〜４年である。つまり、結露防止機能付き道路反射鏡を１０年間使用するには、使用期間の途中で少なくとも１〜２回の電池交換が必要とされることになる。これは、道路管理者においても供給業者においても大きな負担とならざるを得ない。なお、技術問題としては、鉛シール電池以外の化学電池も使用可能であるが、必要とされる蓄電容量とコストとの経済的理由によって使用が躊躇されているのが現実である。
【先行技術文献】
【特許文献】
【００２０】
【特許文献１】特開平７−２２９１１３号公報
【特許文献２】特開平１１−２１７８０６号公報
【特許文献３】特許第３６２８３６４号公報
【特許文献４】特許第３６３４６３０号公報
【特許文献５】特開２００２−１０５９１５号公報
【特許文献６】特許第４３８２８７０号公報
【特許文献７】特開平８−２０９６３７号公報
【発明の概要】
【発明が解決しようとする課題】
【００２１】
本発明は、上記従来の結露防止機能付きの道路反射鏡における問題点の分析の結果、すべての問題点か最終的に鏡面加温手段の駆動に要する電力の削減の問題に帰着するとともに、この問題を解決することによって結露防止機能付きの道路反射鏡に対する要望事項も概ね同時に解決されることになるという結論に基づき、鏡面加温手段の対する通電の条件として、結露の発生と直接的な因果関係を有する条件を採用することにより、鏡面加温手段の消費電力を極力抑えることを直接的な課題とし、これによって結果的に結露防止機能付きの道路反射鏡のコスト削減、外観の簡素化および所定期間のメンテナンスフリー化を実現することを目的とする。
【課題を解決するための手段】
【００２２】
上記目的を達成するための本発明は、次のような構成を採用する。
【００２３】
（解決手段１）
本発明の道路反射鏡の結露防止方法は、太陽光発電パネルと蓄電素子と鏡面を加温する鏡面加温手段とを備え、太陽光発電パネルによって昼間に発電した電気を蓄電素子に蓄電するとともに、蓄電素子に蓄電した電気を夜間に鏡面加温手段に通電して鏡面結露を防止するようにしてなる道路反射鏡の結露防止方法において、道路反射鏡に露点計と鏡面温度を検出する鏡面温度センサとを取り付けて露点と鏡面温度とを検出し、検出された鏡面温度が検出された露点を下回らない範囲で鏡面加温手段に通電することによって、鏡面温度を露点の変化に沿って追随制御することを特徴とする。
【００２４】
上記道路反射鏡の結露防止方法においては、蓄電素子から鏡面加温手段への電力は、鏡面温度センサによって検出された鏡面温度が露点計によって検出された露点を下回らないことを条件として、かつ、露点の変化に沿って追随するように供給される。この結果、鏡面加温手段に対する電力供給を、鏡面温度が露点に近い温度であって、しかも露点を下回らない必要最小限に制限することができる。
【００２５】
なお、上記構成は、安価で安定性の高いデジタル式露点計の普及を背景とするものである。また、本結露防止方法においては、鏡面温度と露点とができるだけ接近するように追随制御することが鏡面加温手段の消費電力を削減する上でより効果的であるが、本発明の目的との関係においては、厳密な追随制御は必要ではなく、簡易な比較制御で足りる。
【００２６】
（解決手段２）
本発明の道路反射鏡の結露防止方法は、太陽光発電パネルと蓄電素子と鏡面を加温する鏡面加温手段とを備え、太陽光発電パネルによって昼間に発電した電気を蓄電素子に蓄電するとともに、蓄電素子に蓄電した電気を夜間に鏡面加温手段に通電して鏡面結露を防止するようにしてなる道路反射鏡の結露防止方法において、道路反射鏡に外気温センサと鏡面温度を検出する鏡面温度センサとを取り付けて外気温と鏡面温度とを検出し、検出された鏡面温度が検出された外気温を上回らず、かつ鏡面に結露を生じさせないための所定の安全温度幅を超えて下回らない範囲で鏡面加温手段に通電することによって、鏡面温度を外気温の変化に沿って追随制御することを特徴とする。
【００２７】
上記道路反射鏡の結露防止方法を解決手段１に記載の方法との違いの観点から説明すると、解決手段１においては、鏡面温度を露点に沿って追随制御しているが、本結露防止方法においては、鏡面温度を外気温の変化に沿って追随制御することが特徴となる。また、外気温に対する追随の態様については、鏡面温度が検出された外気温を上回らず、かつ鏡面に結露を生じさせないための所定の安全温度幅を超えて下回らない範囲において鏡面加温手段に通電することが特徴となる。この結果、鏡面加温手段に対する通電時間は、鏡面温度が、外気温以下の一定範囲に設定される安全温度幅内、つまり、鏡面結露を生じさせない最小限の範囲に制限される。
【００２８】
（解決手段３）
本発明の道路反射鏡の結露防止方法は、上記解決手段１または解決手段２に記載の結露防止方法を基本発明として、各発明における所定の安全温度幅が、鏡面に結露が発生した気象条件下における外気温の観測データに基づいて結露を生じさせないと見込まれる一定の温度幅、または結露を生じさせないと見込まれる一定の温度比率として設定することを特徴とする。
【００２９】
上記結露防止方法は、結露が発生する気象条件に共通点が見られることに着目し、過去の結露発生気象条件の下における外気温の変化と露点の観測データに基づく統計結果としての結露を生じさせないと見込まれる一定の温度幅を外気温対する固定値の安全温度幅として、または外気温に対する一定の比率による安全温度幅として設定することによって、結露が生じないという統計に基づきながら、外気温より低い安全温度幅内の鏡面温度で鏡面加温手段を駆動することで事実上結露を防止することができるので、鏡面加温手段の消費電力量をより削減することが可能である。なお、この安全温度幅は、そのときの外気温と、その外気温から過去のデータに基づいて予測される露点との間の温度であって、露点を超える範囲の温度幅であるということができる。
【００３０】
上記本発明の道路反射鏡の結露防止方法を具体的な道路反射鏡に適用したものが本発明の道路反射鏡である（下記解決手段４ないし７）。
【００３１】
（解決手段４）
本発明の道路反射鏡は、太陽光発電パネルと、太陽光発電パネルによって充電する蓄電素子と、蓄電素子によって駆動する鏡面加温手段と、露点計と、鏡面温度を検出する鏡面温度センサと、充放電コントローラとを備え、この際の鏡面加温手段が、いずれも鏡面と鏡面裏蓋との間に形成した気密空間の内部に設置される前記蓄電素子と充放電コントローラと気密空間内の空気を撹拌する電動ファンとによって構成され、充放電コントローラは、鏡面温度センサによって検出された鏡面温度が露点計によって検出された露点を下回らない範囲で鏡面加温手段に通電すること特徴とする道路反射鏡である。
【００３２】
上記構成にかかる道路反射鏡においては、その鏡面加温手段が、蓄電素子と充放電コントローラと気密空間内の空気を撹拌する電動ファンとによって構成され、これらが鏡面と鏡面裏蓋との間に形成した気密空間の内部に設置されることが特徴的である。すなわち、上記道路反射鏡においては、ヒータ等の発熱専用の電気素子は使用されておらず、気密空間内に設置される蓄電素子と充放電コントローラと電動ファンのモータの動作発熱全体が電動ファンによって撹拌されることによって鏡面の加温用に利用されるのである。また、充放電コントローラによる鏡面加温手段に対する通電制御は、露点を下回らない範囲、つまり、結露を発生させないための必要最小限の範囲内に制限されることによって、ヒータを有しないことと相俟って極端な低消費電力を実現することができる。
【００３３】
（解決手段５）
本発明の道路反射鏡は、太陽光発電パネルと、太陽光発電パネルによって充電する蓄電素子と、蓄電素子によって駆動する鏡面加温手段と、外気温センサと、鏡面温度を検出する鏡面温度センサと、充放電コントローラとを備え、鏡面加温手段が、いずれも鏡面と鏡面裏蓋との間に形成した気密空間の内部に設置される前記蓄電素子と充放電コントローラと気密空間内の空気を撹拌する電動ファンとによって構成され、充放電コントローラによる鏡面加温手段に対する通電制御は、鏡面温度センサによって検出された鏡面温度が外気温センサによって検出された外気温を上回らず、かつ鏡面に結露を生じさせないための所定の安全温度幅を超えて下回らない範囲で鏡面加温手段に通電する道路反射鏡である。
【００３４】
上記構成にかかる道路反射鏡は、解決手段４に記載の発明における露点計に代えて外気温センサを用いるとともに、鏡面加温手段に対する通電制御の基準を外気温センサによって検出される外気温とし、鏡面温度が基準となる外気温以下の一定の安全温度範囲内におさまるように通電制御されるのである。道路反射鏡のその他の構成部分および省電力作用は、解決手段４に記載の道路反射鏡に準じる。
【００３５】
（解決手段６）
本発明の道路反射鏡は、上記解決手段４または解決手段５に記載の発明を基本発明として、前記鏡面加温手段の構成部材として、ヒータまたは蓄熱素子と組み合わせてなるヒータを備えることを特徴とする。
【００３６】
上記構成にかかる道路反射鏡におけるヒータは、解決手段４または解決手段５に記載の鏡面加温手段のみによっては、能力不足となる場合の補助として用いることができるので、いわば、寒冷地仕様の結露防止機能付きの道路反射鏡に適合する。また、蓄熱素子と組み合わせてなるヒータを備える場合は、太陽光発電パネルの能力が蓄電素子に充電してなお余剰がある場合において、さらにヒータに通電してその熱を蓄熱素子に熱エネルギーとして蓄え、鏡面加温用途に有効に活用することができる。
【００３７】
本発明の道路反射鏡は、上記解決手段４ないし解決手段６に記載のいずれかの発明を基本発明として、その構成に含まれる蓄電素子が、電気二重層コンデンサであることを特徴とする。
【００３８】
上記構成にかかる道路反射鏡における電気二重層コンデンサは、鉛系のバッテリと比較して、蓄電容量に対して外形が大きく、しかもコスト高である。したがって、通常は、道路反射鏡に搭載することが困難な素子であるが、本発明の道路反射鏡においては、極端な低消費電力化が実現することができることにより搭載可能となるのである。電気二重層コンデンサは、化学変化を伴う電気化学素子ではなく、化学変化を伴わない電気物理素子であるため、電気的定格内で使用する限り鉛系バッテリに比べて格段に長寿命である。これによって結露防止機能付きの道路反射鏡のノーメンテナンス耐用期間を飛躍的に延長することができることとなる。
【発明の効果】
【００３９】
本発明の道路反射鏡の結露防止方法は、道路反射鏡に露点計または外気温センサと、鏡面温度を検出する鏡面温度センサとを取り付けて露点または外気温と鏡面温度とを検出し、検出された鏡面温度が検出された露点または外気温を下回らない範囲で鏡面加温手段に通電することによって、鏡面温度を露点の変化または外気温の変化に沿って追随制御する手段の採択によって、鏡面加温手段に対する通電を、鏡面の結露発生を防止する上での必要最小限の範囲に抑制することができるので、鏡面加温手段に電力を供給するための太陽光発電パネル、夜間に使用する電力を蓄えるための蓄電素子および鏡面加温手段のいずれについても、その小型化、小容量化が実現される。この結果として結露防止機能付きの道路反射鏡のコストが削減され、その普及に大きく貢献することができる。
【００４０】
また、上記本発明の結露防止方法を具体化してなる本発明の道路反射鏡は、低消費電力であることにより実現される電装部材の小型化、小容量化により、道路周辺景観を害さない簡素な外観のものとして実施することができるとともに、同様に、低消費電力であることにより採用可能となる蓄電素子としての電気二重層コンデンサを搭載するものは、鉛系蓄電素子の短い耐用期間に起因して結露防止機能付きの道路反射鏡の耐用期間が短縮されるという問題を略完全に解消することができる。
【図面の簡単な説明】
【００４１】
【図１】本発明の道路反射鏡の実施の形態を示す断面図である。
【図２】上記実施の形態における要部の分解斜視図である。
【図３】上記実施の形態における電気系統の構成を示す模式図である。
【図４】上記実施の形態における通電制御の動作説明図である。
【発明を実施するための形態】
【００４２】
以下、図面を引用しながら本発明の道路反射鏡の結露防止方法、およびその結露防止方法を具体的に適用した道路反射鏡の実施の形態を併せて説明する。
【００４３】
本発明の結露防止方法を具体的に実施するための道路反射鏡は、太陽光発電パネルＳＰと反射鏡本体ＭＵとからなる（図１）。反射鏡本体ＭＵは、支持ポール１に取付けブラケット１Ａ，１Ｂを用いて組み付けられる。また、支持ポール１には、小型の太陽光発電パネルＳＰが取り付けられる。
【００４４】
太陽光発電パネルＳＰは、裏面側に支持ポール１の上端部にはめ込むキャップ１Ｃ付きのステー１Ｄを備え、支持ポール１の上端部に方向調節自在かつ仰角調節自在に取り付けられている。なお、太陽光発電パネルＳＰの仰角については、固定として差し支えない。
【００４５】
取付けブラケット１Ａ，１Ｂは、支持ポール１の上下任意位置を把持して締め付け固定する取付けブラケット１Ａと、反射鏡本体ＭＵの裏蓋２１Ａに固定する取付けブラケット１Ｂとの組合せからなる。これは、業界標準といえる構成の取付け金具であり、このタイプの取付けブラケット１Ａ，１Ｂを利用することによって、反射鏡本体ＭＵの上下位置と上下角を設置場所の条件に応じて簡単に設定することができる。
【００４６】
反射鏡本体ＭＵは、樹脂製または金属製の凸面鏡状の一般的な鏡面１０と、鏡面裏蓋２１Ａと、鏡面１０への直射光を遮るための庇状のフード１１とからなる。鏡面裏蓋２１Ａは、鏡面１０との間に外気を遮断した適度の容量の気密空間Ｒが形成されるように、奥行深くデザインされている。この鏡面裏蓋２１Ａについては、必要に応じてその内側面や外側面全体に断熱材を添設することができる。
【００４７】
反射鏡本体ＭＵの気密空間Ｒの内部には、本発明の結露防止方法に使用される  太陽光発電パネルＳＰ以外の電装部材Ｅが組み込まれている。電装部材Ｅは、充放電コントローラ２２Ａと露点計の露点演算回路２２Ｂとを搭載した統合制御基板２２と、蓄熱素子２４と熱結合した面状のヒータ２３と、電動ファン２５と、蓄電素子としての電気二重層コンデンサ２６とを主要部材としてなる。
【００４８】
鏡面１０から前方に突出するフード１１の裏面には、露点計のセンシング素子である外気温センサＳ１と湿度センサＳ２とが併設されている。また、鏡面１０の裏面には、鏡面温度センサＳ３が取り付けられている。この鏡面温度センサＳ３は鏡面１０と熱結合されている。一方、外気温センサＳ１は、断熱材を介してフード１１から熱的に切り離された取付け状態である。また、この外気温センサＳ１は、露点計から独立した外気温センサＳ１としても利用される。
【００４９】
これらの電装部材Ｅは、通風性を確保するために鏡面裏蓋２１Ａの内側面にスペーサナット２Ｎ…を介して順次にスタックする形態で取り付けられている。されている。ただし、電気二重層コンデンサ２６は、外形が大きいことにより独立に設置してある（図１，図２）。
【００５０】
ここで、本発明においては、太陽光発電パネルＳＰを除くこれらの電装部材Ｅ全体が反射鏡本体ＭＵの鏡面１０を加温するための鏡面加温手段を構成するのであるということを特に注記する。本発明には、電装部材Ｅ中にヒータ２３を含まない構成も含まれるが、電装部材Ｅがヒータ２３を含まない場合においても電装部材Ｅが鏡面加温手段を構成することは同様である。
【００５１】
本発明の道路反射鏡における電気系統は、次のようである（図３）。太陽光発電パネルＳＰと電動ファン２５とヒータ２３と電気二重層コンデンサ２６とは、いずれも統合制御基板２２を介して接続されている。統合制御基板２２に搭載された充放電コントローラ２２Ａには、外気温センサＳ１と鏡面温度センサＳ３からの検出信号が入力されている。また、統合制御基板２２に搭載された露点演算回路２２Ｂには、外気温センサＳ１と湿度センサＳ２からの検出信号が入力され、その検出信号に基づいて露点Ｔ４が算出される。また、算出された露点情報は、充放電コントローラ２２Ａに入力されている。すなわち、充放電コントローラ２２Ａには、外気温Ｔ１と鏡面温度Ｔ３と露点Ｔ４とが入力されている。
【００５２】
充放電コントローラ２２Ａには、そのときの外気温Ｔ１に基づいて、外気温Ｔ１以下の一定の安全温度幅ＴＷを設定する設定機能が搭載されている（図４）。この設定機能は、簡単な減算回路または乗算回路によって、例えば、外気温Ｔ１−５℃の定温度幅、または、外気温Ｔ１×０．８の定温度率によって演算される。この定温度幅、または定温度率は、露点演算回路２２Ｂによる露点Ｔ４とは無関係に、放射冷却が発生した気象条件下における過去の統計データから結露を発生させる危険がないと見込まれる範囲において充放電コントローラ２２Ａに予め人為的に設定される温度幅である。
【００５３】
上記形態の道路反射鏡は、太陽光発電パネルＳＰによって昼間に発電した電気を蓄電素子である電気二重層コンデンサ２６に蓄電するとともに、蓄電素子に蓄電した電気を夜間に電装部材Ｅ全体から構成される鏡面加温手段に通電して鏡面結露を防止するように機能する。
【００５４】
すなわち、昼間における充放電コントローラ２２Ａは、太陽光発電パネルＳＰの電力を電気二重層コンデンサ２６に供給し、さらに電気二重層コンデンサ２６の充電完了を検出して、余剰電力をヒータ２３に通電し、蓄熱素子２４に熱エネルギを蓄えるように機能する。
【００５５】
充放電コントローラ２２Ａは、太陽光発電パネルＳＰの起電力の喪失よって、日没時Ａ１を検出する。日没時Ａ１を条件に充放電コントローラ２２Ａは、外気温Ｔ１に基づいてそのときの安全温度幅ＴＷを算出するとともに、そのときの鏡面温度Ｔ３が外気温Ｔ１以上であるか、外気温Ｔ１以下であっても安全温度幅ＴＷ内であるときには、鏡面加温手段に対する電力供給は行わず、電気二重層コンデンサ２６に蓄えられた電力を温存する。
【００５６】
日没時Ａ１以後、放射冷却が発生した場合には、日没時Ａ１まで外気温Ｔ１に同化していた鏡面温度Ｔ３が急速に降下する（図４点線）。ここで、充放電コントローラ２２Ａは、鏡面温度Ｔ３が、算出された安全温度幅ＴＷの下限にまで下降すると同時に鏡面加温手段の電動ファン２５に通電を開始する。電動ファン２５の作動によって反射鏡本体ＭＵの気密空間Ｒの内部の空気が撹拌され、充放電コントローラ２２Ａ自体の発熱を含め、電装部材Ｅ全体からの、本実施の形態においては、特に蓄熱素子２４からの発熱が気密空間Ｒの内部容量に従って平準化され、気密空間Ｒを形成している鏡面１０の鏡面温度Ｔ３を上昇させる。充放電コントローラ２２Ａは、鏡面温度Ｔ３が安全温度幅ＴＷの上限である外気温Ｔ１に到達すると同時に電動ファン２５に対する通電を停止する（図４のＫ１区間）。以後、充放電コントローラ２２Ａは、太陽光発電パネルＳＰの発電作用を検出するまで、つまり夜明けまでこの動作を反復するのである（図４のＫ２…区間）。
【００５７】
電動ファン２５ひいては鏡面加温手段に対する上記のような通電制御によって、鏡面結露のおそれがないにもかかわらす鏡面加温手段が一晩中駆動されるという無駄が省かれるのであり、これによって、鏡面加温手段の画期的な省エネルギ動作が実現するのである。
【００５８】
なお、上記動作説明は、外気温Ｔ１と安全温度幅ＴＷの組合せによって鏡面加温手段、特に電動ファン２５を駆動する形態に関するが、露点計を備える場合には、安全温度幅ＴＷに代えて、外気温Ｔ１と露点Ｔ４との組合せによって鏡面加温手段を駆動することもできる。この場合における充放電コントローラ２２Ａは、
外気温Ｔ１を上限とし、露点Ｔ４を下限とする温度帯内で電動ファン２５を通電制御することになる。
【符号の説明】
【００５９】
ＳＰ      太陽光発電パネル
ＭＵ      反射鏡本体
Ｓ１      外気温センサ
Ｓ２      湿度センサ
Ｓ３      鏡面温度センサ
Ｔ１      外気温
Ｔ３      鏡面温度
Ｔ４      露点
Ｒ        気密空間
Ｅ        鏡面加温手段である電装部材
１０      鏡面
２１Ａ    鏡面裏蓋
２２      統合制御基板
２２Ａ    充放電コントローラ
２３      ヒータ
２４      蓄熱素子
２５      電動ファン
２６      蓄電素子である電気二重層コンデンサ
【図１】
2011127354.tif 000003
【図２】
2011127354.tif 000004
【図３】
2011127354.tif 000005
【図４】
2011127354.tif 000006
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
太陽光発電パネルと蓄電素子と鏡面を加温する鏡面加温手段とを備え、太陽光発電パネルによって昼間に発電した電気を蓄電素子に蓄電するとともに、蓄電素子に蓄電した電気を夜間に鏡面加温手段に通電して鏡面結露を防止するようにしてなる道路反射鏡の結露防止方法において、
道路反射鏡に外気温センサと鏡面温度を検出する鏡面温度センサとを取り付けて外気温と鏡面温度とを検出し、検出された鏡面温度が検出された外気温を上回らず、かつ鏡面に結露を生じさせないための所定の安全温度幅を超えて下回らない範囲で前記鏡面加温手段に通電することによって、鏡面温度を外気温の変化に沿って追随制御することを特徴とする道路反射鏡の結露防止方法。
【請求項２】
前記所定の安全温度幅が、鏡面に結露が発生した気象条件下における外気温と露点の観測データに基づいて結露を生じさせないと見込まれる一定の温度幅、または結露を生じさせないと見込まれる一定の温度比率として設定することを特徴とする請求項１に記載の道路反射鏡の結露防止方法。
【請求項３】
鏡面と鏡面裏蓋との間に気密空間を形成した反射鏡本体と、該反射鏡本体の前記気密空間内に設置する鏡面加温手段と、太陽光発電パネルと、外気温センサと、鏡面温度を検出する鏡面温度センサとを備え、
前記鏡面加温手段は、前記太陽光発電パネルで発電した電力を蓄える蓄電素子と、該蓄電素子によって駆動されて前記気密空間内の空気を撹拌する電動ファンと、該電動ファンと前記太陽光発電パネルとの間に介装する充放電コントローラによって構成され、
前記充放電コントローラは、前記鏡面温度センサによって検出された鏡面温度が前記外気温センサによって検出された外気温を上回らず、かつ鏡面に結露を生じさせないための所定の安全温度幅を超えて下回らない範囲で前記電動ファンに通電することを特徴とする道路反射鏡。
【手続補正２】
【補正対象書類名】明細書
【補正対象項目名】全文
【補正方法】変更
【補正の内容】
【発明の詳細な説明】
【技術分野】
【０００１】
本発明は、昼間における太陽光発電パネルによる発電電力をバッテリその他の蓄電素子に蓄え、蓄えた電力によって夜間にヒータその他の鏡面加温手段を駆動することによって結露を防止するようにしてなる道路反射鏡の改良に関する。
【背景技術】
【０００２】
道路の急カーブ箇所やＴ字交差箇所には、鏡面による反射影像によって安全確認をすることができるように道路反射鏡が設置されている。この道路反射鏡に関しては、気象条件によって結露や、結露が氷結して形成される着霜によって反射影像が不鮮明または結像不能となり、安全確認機能が一時的に損なわれる現象が発生することが旧来より問題視され、多様な結露防止策が提案されている（下記先行技術文献欄の特許文献１ないし６参照）。
【０００３】
結露の発生には、結露発生対象物の物理的または化学的表面性状や熱伝導率の大小、風の有無、周辺建築物の状況等の周辺環境等も関連する複雑な問題があるが、基本的には、鏡面が周辺の自然空気の露点以下に低下することによって発生する。具体的には、道路反射鏡の鏡面に接触した空気が急速に露点以下に冷やされ、飽和状態となった水蒸気が微細な水滴となって鏡面に露出することによって結露が発生するのである。
【０００４】
道路反射鏡における結露発生が、上記のような発生メカニズムに基づくものであることから、結露の防止対策としては、結露が発生しやすい時間帯における鏡面の温度を露点以上の温度に維持するという基本的な結露防止対策を考えることができる。
【０００５】
鏡面温度を露点以上に維持するという上記の考え方を実現するための最も端的かつ一般的な結露防止方法としては、鏡面の裏面側にヒータを添設し、このヒータを昼間に太陽光発電パネルによって充電しておいたバッテリによって駆動する方法が知られている（特許文献２参照）。
【０００６】
当社においても、従来、鏡面温度を露点以上に維持するという考え方に基づいて試作研究を進めているところであるが、当社の結露防止方法の幾つかは、いずれも当社独自の発想に基づくものである。例えば、結露が発生するような気象条件下においては、温度の異なる空気が層状に滞在することに着目し、相対的に高温となる鏡面より上空位置の空気を電動ファンを用いて鏡面の裏面側に供給することによって鏡面温度を露点以上に維持することができる（特許文献５参照）。
【０００７】
また、道路反射鏡の鏡面と裏蓋との間に気密性の高い略閉じられた空間が形成されているという一般的な条件を前提として、結露が発生するような気象条件下においては、その気密空間内の温度低下が、明け方に向かっての外気温の刻時的低下に遅れて生じることに着目し、電動ファンを用いて気密空間内の空気を撹拌し、鏡面温度を気密空間内の温度と同等に、つまり外気温より高く保つという方法によって鏡面温度を露点以上に維持することができる（特許文献６参照）。
【０００８】
参考に供した上記従来の道路反射鏡の結露防止方法においては、当社の従来技術を含めていずれも、太陽光発電パネルによって昼間に発電した電気をバッテリ等の蓄電素子に蓄電し、蓄電した電気を利用して夜間にヒータ等の鏡面加温手段を駆動するという基本的な充放電サイクルが採用されている。
【０００９】
上記のような結露防止方法およびその方法の使用する結露防止装置については、この結露防止装置および結露防止機能が、道路反射鏡の付帯機能または付帯装置であることによって、次のような問題が指摘されている。
【００１０】
結露防止機能付き道路反射鏡について指摘される問題としては、結露防止機能を備えない道路反射鏡に対して大幅なコスト高となることが挙げられる。
【００１１】
コスト高の問題は、特定の素子に起因するものではなく、結露を防止するための機能上必要とされる、太陽光発電パネル、蓄電素子、鏡面加温手段、充放電制御回路等のコストが累積的に原因することによって惹起される問題である。したがって、この問題は、特定の素子に対する手当てによって解決することができる問題ではなく、その解決のためには、結露防止機能を奏するための上記のすべての構成部材について、コストを抑えるための小型化ないし小容量化を達成する必要がある。
【００１２】
結露防止機能付きの道路反射鏡について指摘される別の問題としては、主に道路周辺景観の観点からの問題がある。
【００１３】
道路管理主体または都市計画主体の思わくにかかわらず、今日における道路周辺景観は煩雑化の一途を辿り、ドライバーに不要の運転疲労を強いる状況となっている。道路周辺景観の簡素化の要請は、道路反射鏡についても例外ではない。道路反射鏡の理想的な設置形態は、鏡面のみで存在することである。これは、できるだけドライバーの視野を遮らないでドライバーに必要な反射影像を提供するという道路反射鏡本来の要請による。しかし、鏡面のみを設置することができないことから、実際には必要最小限の支持ポール１本を用いたシンプルな外観の設置形態が採られている。この点に関し、従来の結露防止機能付き道路反射鏡における太陽光発電パネルが道路周辺景観を煩雑化させるという問題がある。
【００１４】
この問題を解決するには、太陽光発電パネルのサイズを目立たないサイズに抑えることが必要である。そして、太陽光発電パネルのサイズを抑えたいという要請は、最終的には、鏡面加温手段に対する消費電力の削減、および通電時間の最小限管理に対する要請となる。
【００１５】
従来の結露防止機能付きの道路反射鏡における通電時間の管理方法としては、日照センサによる昼夜判別による夜間連続通電方法、温度センサによる特定の設定温度の検出による設定温度以下連続通電方法、湿度センサによる特定の設定湿度の検出による設定湿度以上連続通電方法が代表的である。
【００１６】
しかし、上記のような従来の通電管理方法においては、鏡面結露の発生とは直接的な因果関係に立たない昼夜の別、特定の温度、特定の湿度を通電条件としていることにより、換言すれば、結露が発生するおそれがないか、または、おそれがない状態に至っているにもかかわらず、鏡面加温手段によって無駄な電力が大量に消費されることとなり、この無駄な電力に基づいて蓄電素子の容量や太陽光発電パネルのサイズが決定されるという矛盾があった。
【００１７】
なお、この問題に対しては、道路反射鏡の鏡面とは別に、その鏡面より早期に結露が発生しやすい環境においた結露検出用の鏡面を設置し、検出用の鏡面の結露を検出して道路反射鏡の結露を予測し、道路反射鏡のヒータに通電するとともに、検出用の鏡面の結露を道路反射鏡のヒータと同じ能力を有するヒータによって除去し、その除去完了をもって道路反射鏡の結露が除去されたことを検出し、通電を停止することによって消費電力の無駄を抑える方法が、従前より本願の発明者らによって提案されていた（特許文献７参照）。しかし、この方法では、鏡面加温手段の消費電力を大幅に削減することには成功したが、結露予測システム等の構成の複雑さ等の問題があり、利害得失合い半ばという面があった。
【００１８】
さらに、結露防止機能付きの道路反射鏡については、耐用期間の観点からの問題が指摘されている。道路反射鏡自体の耐用期間としては、略１０年のノーメンテナンス耐用期間が望まれるところであるが、この耐用期間が、道路反射鏡に結露防止機能を付加することによって大幅に短縮するという問題があるのである。この問題は、結露防止機能付き道路反射鏡のコスト高の問題と並んで、結露防止機能付きの道路反射鏡の普及を促進する上において、業界としては何としても解決したい深刻な問題である。
【００１９】
上記耐用期間短縮の問題およびは、専ら蓄電素子の耐用期間に帰着する問題である。現在使用されている蓄電素子の主流は、鉛シール電池に代表される化学電池である。この鉛系の化学電池の耐用期間は、使用状況によっても異なるが、鏡面加温手段のヒータのような重い負荷を長時間連続駆動するような用途においては、３〜４年である。つまり、結露防止機能付き道路反射鏡を１０年間使用するには、使用期間の途中で少なくとも１〜２回の電池交換が必要とされることになる。これは、道路管理者においても供給業者においても大きな負担とならざるを得ない。なお、技術問題としては、鉛シール電池以外の化学電池も使用可能であるが、必要とされる蓄電容量とコストとの経済的理由によって使用が躊躇されているのが現実である。
【先行技術文献】
【特許文献】
【００２０】
【特許文献１】特開平７−２２９１１３号公報
【特許文献２】特開平１１−２１７８０６号公報
【特許文献３】特許第３６２８３６４号公報
【特許文献４】特許第３６３４６３０号公報
【特許文献５】特開２００２−１０５９１５号公報
【特許文献６】特許第４３８２８７０号公報
【特許文献７】特開平８−２０９６３７号公報
【発明の概要】
【発明が解決しようとする課題】
【００２１】
本発明は、上記従来の結露防止機能付きの道路反射鏡における問題点の分析の結果、すべての問題点か最終的に鏡面加温手段の駆動に要する電力の削減の問題に帰着するとともに、この問題を解決することによって結露防止機能付きの道路反射鏡に対する要望事項も概ね同時に解決されることになるという結論に基づき、鏡面加温手段の対する通電の条件として、結露の発生と直接的な因果関係を有する条件を採用することにより、鏡面加温手段の消費電力を極力抑えることを直接的な課題とし、これによって結果的に結露防止機能付きの道路反射鏡のコスト削減、外観の簡素化および所定期間のメンテナンスフリー化を実現することを目的とする。
【課題を解決するための手段】
【００２２】
上記目的を達成するための本発明は、次のような構成を採用する。
【００２３】
（解決手段１）
本発明の道路反射鏡の結露防止方法は、太陽光発電パネルと蓄電素子と鏡面を加温する鏡面加温手段とを備え、太陽光発電パネルによって昼間に発電した電気を蓄電素子に蓄電するとともに、蓄電素子に蓄電した電気を夜間に鏡面加温手段に通電して鏡面結露を防止するようにしてなる道路反射鏡の結露防止方法において、道路反射鏡に外気温センサと鏡面温度を検出する鏡面温度センサとを取り付けて外気温と鏡面温度とを検出し、検出された鏡面温度が検出された外気温を上回らず、かつ鏡面に結露を生じさせないための所定の安全温度幅を超えて下回らない範囲で鏡面加温手段に通電することによって、鏡面温度を外気温の変化に沿って追随制御することを特徴とする。
【００２４】
上記道路反射鏡の結露防止方法は、鏡面温度を外気温の変化に沿って追随制御することが特徴となる。また、外気温に対する追随の態様については、鏡面温度が検出された外気温を上回らず、かつ鏡面に結露を生じさせないための所定の安全温度幅を超えて下回らない範囲において鏡面加温手段に通電することが特徴となる。この結果、鏡面加温手段に対する通電時間は、鏡面温度が、外気温以下の一定範囲に設定される安全温度幅内、つまり、鏡面結露を生じさせない最小限の範囲に制限される。
【００２５】
（解決手段２）
本発明の道路反射鏡の結露防止方法は、上記解決手段１に記載の結露防止方法を基本発明として、各発明における所定の安全温度幅が、鏡面に結露が発生した気象条件下における外気温の観測データに基づいて結露を生じさせないと見込まれる一定の温度幅、または結露を生じさせないと見込まれる一定の温度比率として設定することを特徴とする。
【００２６】
上記結露防止方法は、結露が発生する気象条件に共通点が見られることに着目し、過去の結露発生気象条件の下における外気温の変化と露点の観測データに基づく統計結果としての結露を生じさせないと見込まれる一定の温度幅を外気温対する固定値の安全温度幅として、または外気温に対する一定の比率による安全温度幅として設定することによって、結露が生じないという統計に基づきながら、外気温より低い安全温度幅内の鏡面温度で鏡面加温手段を駆動することで事実上結露を防止することができるので、鏡面加温手段の消費電力量をより削減することが可能である。なお、この安全温度幅は、そのときの外気温と、その外気温から過去のデータに基づいて予測される露点との間の温度であって、露点を超える範囲の温度幅であるということができる。
【００２７】
上記本発明の道路反射鏡の結露防止方法を具体的な道路反射鏡に適用したものが本発明の道路反射鏡である。
【００２８】
（解決手段３）
本発明の道路反射鏡は、鏡面と鏡面裏蓋との間に気密空間を形成した反射鏡本体と、該反射鏡本体の前記気密空間内に設置する鏡面加温手段と、太陽光発電パネルと、外気温センサと、鏡面温度を検出する鏡面温度センサとを備え、
前記鏡面加温手段は、前記太陽光発電パネルで発電した電力を蓄える蓄電素子と、該蓄電素子によって駆動されて前記気密空間内の空気を撹拌する電動ファンと、該電動ファンと前記太陽光発電パネルとの間に介装する充放電コントローラによって構成され、
前記充放電コントローラは、前記鏡面温度センサによって検出された鏡面温度が前記外気温センサによって検出された外気温を上回らず、かつ鏡面に結露を生じさせないための所定の安全温度幅を超えて下回らない範囲で前記電動ファンに通電することを特徴とする。
【００２９】
上記構成にかかる道路反射鏡は、その鏡面加温手段が、蓄電素子と充放電コントローラと気密空間内の空気を撹拌する電動ファンとによって構成され、これらが鏡面と鏡面裏蓋との間に形成した気密空間の内部に設置されることが特徴的である。すなわち、上記道路反射鏡においては、ヒータ等の発熱専用の電気素子は使用されておらず、気密空間内に設置される蓄電素子と充放電コントローラと電動ファンのモータの動作発熱全体が電動ファンによって撹拌されることによって鏡面の加温に利用されるのである。また、充放電コントローラによる電動ファンに対する通電制御は、鏡面温度センサによって検出された鏡面温度が外気温センサによって検出された外気温を上回らず、かつ鏡面に結露を生じさせないための所定の安全温度幅を超えて下回らない範囲で、すなわち、実質的に露点を下回らない範囲で行われる。したがって、電動ファンへの通電期間が、結露を発生させないための必要最小限の範囲内に制限されることとなり、ヒータを有しないことと相俟って極端な低消費電力を実現することができる。
【発明の効果】
【００３０】
本発明の道路反射鏡の結露防止方法は、道路反射鏡に外気温センサと、鏡面温度を検出する鏡面温度センサとを取り付けて露点または外気温と鏡面温度とを検出し、検出された鏡面温度が検出された露点または外気温を下回らない範囲で鏡面加温手段に通電することによって、鏡面温度を露点の変化または外気温の変化に沿って追随制御する手段の採択によって、鏡面加温手段に対する通電を、鏡面の結露発生を防止する上での必要最小限の範囲に抑制することができるので、鏡面加温手段に電力を供給するための太陽光発電パネル、夜間に使用する電力を蓄えるための蓄電素子および鏡面加温手段のいずれについても、その小型化、小容量化が実現される。この結果として結露防止機能付きの道路反射鏡のコストが削減され、その普及に大きく貢献することができる。
【００３１】
また、上記本発明の結露防止方法を具体化してなる本発明の道路反射鏡は、低消費電力であることにより実現される電装部材の小型化、小容量化により、道路周辺景観を害さない簡素な外観のものとして実施することができる。
【図面の簡単な説明】
【００３２】
【図１】本発明の道路反射鏡の実施の形態を示す断面図である。
【図２】上記実施の形態における要部の分解斜視図である。
【図３】上記実施の形態における電気系統の構成を示す模式図である。
【図４】上記実施の形態における通電制御の動作説明図である。
【発明を実施するための形態】
【００３３】
以下、図面を引用しながら本発明の道路反射鏡の結露防止方法、およびその結露防止方法を具体的に適用した道路反射鏡の実施の形態を併せて説明する。
【００３４】
本発明の結露防止方法を具体的に実施するための道路反射鏡は、太陽光発電パネルＳＰと反射鏡本体ＭＵとからなる（図１）。反射鏡本体ＭＵは、支持ポール１に取付けブラケット１Ａ，１Ｂを用いて組み付けられる。また、支持ポール１には、小型の太陽光発電パネルＳＰが取り付けられる。
【００３５】
太陽光発電パネルＳＰは、裏面側に支持ポール１の上端部にはめ込むキャップ１Ｃ付きのステー１Ｄを備え、支持ポール１の上端部に方向調節自在かつ仰角調節自在に取り付けられている。なお、太陽光発電パネルＳＰの仰角については、固定として差し支えない。
【００３６】
取付けブラケット１Ａ，１Ｂは、支持ポール１の上下任意位置を把持して締め付け固定する取付けブラケット１Ａと、反射鏡本体ＭＵの裏蓋２１Ａに固定する取付けブラケット１Ｂとの組合せからなる。これは、業界標準といえる構成の取付け金具であり、このタイプの取付けブラケット１Ａ，１Ｂを利用することによって、反射鏡本体ＭＵの上下位置と上下角を設置場所の条件に応じて簡単に設定することができる。
【００３７】
反射鏡本体ＭＵは、樹脂製または金属製の凸面鏡状の一般的な鏡面１０と、鏡面裏蓋２１Ａと、鏡面１０への直射光を遮るための庇状のフード１１とからなる。鏡面裏蓋２１Ａは、鏡面１０との間に外気を遮断した適度の容量の気密空間Ｒが形成されるように、奥行深くデザインされている。この鏡面裏蓋２１Ａについては、必要に応じてその内側面や外側面全体に断熱材を添設することができる。
【００３８】
反射鏡本体ＭＵの気密空間Ｒの内部には、本発明の結露防止方法に使用される  太陽光発電パネルＳＰ以外の電装部材Ｅが組み込まれている。電装部材Ｅは、充放電コントローラ２２Ａと露点演算回路２２Ｂとを搭載した統合制御基板２２と、蓄熱素子２４と熱結合した面状のヒータ２３と、電動ファン２５と、蓄電素子としての電気二重層コンデンサ２６とを主要部材としてなる。
【００３９】
鏡面１０から前方に突出するフード１１の裏面には、外気温センサＳ１と湿度センサＳ２とが併設されている。また、鏡面１０の裏面には、鏡面温度センサＳ３が取り付けられている。この鏡面温度センサＳ３は鏡面１０と熱結合されている。一方、外気温センサＳ１は、断熱材を介してフード１１から熱的に切り離された取付け状態である。また、この外気温センサＳ１は、独立した外気温センサＳ１としても利用される。
【００４０】
これらの電装部材Ｅは、通風性を確保するために鏡面裏蓋２１Ａの内側面にスペーサナット２Ｎ…を介して順次にスタックする形態で取り付けられている。されている。ただし、電気二重層コンデンサ２６は、外形が大きいことにより独立に設置してある（図１，図２）。
【００４１】
ここで、本発明においては、太陽光発電パネルＳＰを除くこれらの電装部材Ｅ全体が反射鏡本体ＭＵの鏡面１０を加温するための鏡面加温手段を構成するのであるということを特に注記する。本発明には、電装部材Ｅ中にヒータ２３を含まない構成も含まれるが、電装部材Ｅがヒータ２３を含まない場合においても電装部材Ｅが鏡面加温手段を構成することは同様である。
【００４２】
本発明の道路反射鏡における電気系統は、次のようである（図３）。太陽光発電パネルＳＰと電動ファン２５とヒータ２３と電気二重層コンデンサ２６とは、いずれも統合制御基板２２を介して接続されている。統合制御基板２２に搭載された充放電コントローラ２２Ａには、外気温センサＳ１と鏡面温度センサＳ３からの検出信号が入力されている。また、統合制御基板２２に搭載された露点演算回路２２Ｂには、外気温センサＳ１と湿度センサＳ２からの検出信号が入力され、その検出信号に基づいて露点Ｔ４が算出される。また、算出された露点情報は、充放電コントローラ２２Ａに入力されている。すなわち、充放電コントローラ２２Ａには、外気温Ｔ１と鏡面温度Ｔ３と露点Ｔ４とが入力されている。
【００４３】
充放電コントローラ２２Ａには、そのときの外気温Ｔ１に基づいて、外気温Ｔ１以下の一定の安全温度幅ＴＷを設定する設定機能が搭載されている（図４）。この設定機能は、簡単な減算回路または乗算回路によって、例えば、外気温Ｔ１−５℃の定温度幅、または、外気温Ｔ１×０．８の定温度率によって演算される。この定温度幅、または定温度率は、露点演算回路２２Ｂによる露点Ｔ４とは無関係に、放射冷却が発生した気象条件下における過去の統計データから結露を発生させる危険がないと見込まれる範囲において充放電コントローラ２２Ａに予め人為的に設定される温度幅である。
【００４４】
上記形態の道路反射鏡は、太陽光発電パネルＳＰによって昼間に発電した電気を蓄電素子である電気二重層コンデンサ２６に蓄電するとともに、蓄電素子に蓄電した電気を夜間に電装部材Ｅ全体から構成される鏡面加温手段に通電して鏡面結露を防止するように機能する。
【００４５】
すなわち、昼間における充放電コントローラ２２Ａは、太陽光発電パネルＳＰの電力を電気二重層コンデンサ２６に供給し、さらに電気二重層コンデンサ２６の充電完了を検出して、余剰電力をヒータ２３に通電し、蓄熱素子２４に熱エネルギを蓄えるように機能する。
【００４６】
充放電コントローラ２２Ａは、太陽光発電パネルＳＰの起電力の喪失よって、日没時Ａ１を検出する。日没時Ａ１を条件に充放電コントローラ２２Ａは、外気温Ｔ１に基づいてそのときの安全温度幅ＴＷを算出するとともに、そのときの鏡面温度Ｔ３が外気温Ｔ１以上であるか、外気温Ｔ１以下であっても安全温度幅ＴＷ内であるときには、鏡面加温手段に対する電力供給は行わず、電気二重層コンデンサ２６に蓄えられた電力を温存する。
【００４７】
日没時Ａ１以後、放射冷却が発生した場合には、日没時Ａ１まで外気温Ｔ１に同化していた鏡面温度Ｔ３が急速に降下する（図４点線）。ここで、充放電コントローラ２２Ａは、鏡面温度Ｔ３が、算出された安全温度幅ＴＷの下限にまで下降すると同時に鏡面加温手段の電動ファン２５に通電を開始する。電動ファン２５の作動によって反射鏡本体ＭＵの気密空間Ｒの内部の空気が撹拌され、充放電コントローラ２２Ａ自体の発熱を含め、電装部材Ｅ全体からの、本実施の形態においては、特に蓄熱素子２４からの発熱が気密空間Ｒの内部容量に従って平準化され、気密空間Ｒを形成している鏡面１０の鏡面温度Ｔ３を上昇させる。充放電コントローラ２２Ａは、鏡面温度Ｔ３が安全温度幅ＴＷの上限である外気温Ｔ１に到達すると同時に電動ファン２５に対する通電を停止する（図４のＫ１区間）。以後、充放電コントローラ２２Ａは、太陽光発電パネルＳＰの発電作用を検出するまで、つまり夜明けまでこの動作を反復するのである（図４のＫ２…区間）。
【００４８】
電動ファン２５ひいては鏡面加温手段に対する上記のような通電制御によって、鏡面結露のおそれがないにもかかわらす鏡面加温手段が一晩中駆動されるという無駄が省かれるのであり、これによって、鏡面加温手段の画期的な省エネルギ動作が実現するのである。
【００４９】
なお、上記動作説明は、外気温Ｔ１と安全温度幅ＴＷの組合せによって鏡面加温手段、特に電動ファン２５を駆動する形態に関するが、露点計を備える場合には、安全温度幅ＴＷに代えて、外気温Ｔ１と露点Ｔ４との組合せによって鏡面加温手段を駆動することもできる。この場合における充放電コントローラ２２Ａは、
外気温Ｔ１を上限とし、露点Ｔ４を下限とする温度帯内で電動ファン２５を通電制御することになる。
【符号の説明】
【００５０】
ＳＰ      太陽光発電パネル
ＭＵ      反射鏡本体
Ｓ１      外気温センサ
Ｓ２      湿度センサ
Ｓ３      鏡面温度センサ
Ｔ１      外気温
Ｔ３      鏡面温度
Ｔ４      露点
Ｒ        気密空間
Ｅ        鏡面加温手段である電装部材
１０      鏡面
２１Ａ    鏡面裏蓋
２２      統合制御基板
２２Ａ    充放電コントローラ
２３      ヒータ
２４      蓄熱素子
２５      電動ファン
２６      蓄電素子である電気二重層コンデンサ